(57)【特許請求の範囲】
【請求項１】
リール本体の竿取付脚部を挟んで両側に設けられた第１取付部及び第２取付部に、それぞれ軸部及び前記軸部より大径の頭部を有する第１固定部材及び第２固定部材により着脱自在に取り付けられ、前記竿取付脚部との間に釣竿を保持するためのロッドクランプであって、
前記竿取付脚部との間に前記釣竿を挟持し、前記釣竿の外形の一部が接触するように円弧状に湾曲した保持部と、
前記保持部の周方向の両側にそれぞれ前記保持部と一体成形された板状部材であり、前記第１固定部材及び前記第２固定部材の軸部が挿通可能な貫通孔を有し、前記第１取付部及び前記第２取付部に前記第１固定部材及び前記第２固定部材によりそれぞれ着脱自在に固定される第１固定部及び第２固定部と、
前記保持部の両端部において、前記第１固定部及び前記第２固定部のそれぞれの貫通孔に連通し、前記第１固定部材及び前記第２固定部材の頭部の径より大きい径を有する切り欠きからなる第１逃がし部及び第２逃がし部と、
を備えたロッドクランプ。
【請求項２】
前記第１固定部材及び前記第２固定部材の軸部は前記第１取付部及び前記第２取付部に螺合するものである、
請求項１に記載のロッドクランプ。
【請求項３】
前記保持部、前記第１固定部及び前記第２固定部は、ステンレス合金製である、請求項１又は２に記載のロッドクランプ。
【請求項４】
前記保持部、前記第１固定部及び前記第２固定部は、プレス加工により一体成形されている、請求項１から３のいずれかに記載のロッドクランプ。
【発明の詳細な説明】
【技術分野】
【０００１】
本発明は、ロッドクランプ、特に、竿取付脚部を有するリール本体に着脱自在に取り付けられ、竿取付脚部との間に釣竿を保持するためのロッドクランプに関する。
【背景技術】
【０００２】
ロッドクランプは、竿取付脚部を有するリール本体に着脱自在に取り付けられ、竿取付脚部とで釣竿を保持するためのものである。従来のロッドクランプは、釣竿の外形の一部が接触するように湾曲した保持部と、保持部の両側に設けられボルト部材が装着される貫通孔を有する固定部とを有している。このようなロッドクランプは、竿取付脚部と保持部とで釣竿を挟持した状態で、リール本体の竿取付脚部を挟んで両側にボルト部材により固定されている（たとえば、特許文献１参照）。
【特許文献１】実開平５−１５７６６号公報
【発明の開示】
【発明が解決しようとする課題】
【０００３】
前記従来のロッドクランプは、竿取付脚部との間に釣竿を保持し、リール本体の竿取付脚部を挟んで両側に取り付けられている。このようなロッドクランプが取り付けられるリール本体では、たとえばリールを片手で容易に操作できるようにするためにスプールの軸方向長さを小さく形成し、リール本体のフレーム幅を小さく形成したものがある。しかし、リール本体のフレーム幅を小さく形成すると、リール本体に形成されたボルト部材装着用のねじ穴のピッチが小さくなるので、リール本体のねじ穴に対応する固定部の貫通孔のピッチも小さくなる。すなわち、固定部の貫通孔が保持部の両側に近接した位置に配置されるので、ボルト部材を固定部の貫通孔に装着したときボルト部材の頭部が保持部に干渉してしまうおそれが生じる。
【０００４】
本発明の課題は、フレーム幅が小さいリール本体にロッドクランプを確実に取り付けできるようにすることにある。
【課題を解決するための手段】
【０００５】
発明１に係るロッドクランプは、リール本体の竿取付脚部を挟んで両側に設けられた第１取付部及び第２取付部に、それぞれ軸部及び軸部より大径の頭部を有する第１固定部材及び第２固定部材により着脱自在に取り付けられ、竿取付脚部との間に釣竿を保持するためのロッドクランプであって、保持部と、第１固定部及び第２固定部と、第１逃し部及び第２逃し部と、を備えている。保持部は、竿取付脚部との間に釣竿を挟持し釣竿の外形の一部が接触するように円弧状に湾曲している。第１固定部及び第２固定部は、保持部の周方向の両側にそれぞれ保持部と一体成形された板状部材であり、第１固定部材及び第２固定部材の軸部が挿通可能な貫通孔を有し、第１取付部及び第２取付部に第１固定部材及び第２固定部材によりそれぞれ着脱自在に固定される。第１逃し部及び第２逃し部は、保持部の両端部において、第１固定部及び第２固定部のそれぞれの貫通孔に連通し、第１固定部材及び第２固定部材の頭部の径より大きい径を有する切り欠きからなる。
【０００６】
このロッドクランプは、湾曲した保持部と、保持部の両側に設けられた第１固定部及び第２固定部と、保持部の第１固定部及び第２固定部に近接する側にそれぞれ設けられた切り欠きからなる第１逃がし部及び第２逃がし部とを有している。このロッドクランプを取り付けるには、リール本体の竿取付脚部に釣竿の上部を保持した状態で、釣竿の下部を竿保持部の保持部で保持し、第１固定部及び第２固定部を第１固定部材及び第２固定部材によってリール本体の第１取付部及び第２取付部に装着固定する。ここでは、第１固定部及び第２固定部に第１固定部材及び第２固定部材を装着したとき、第１固定部材及び第２固定部材の頭部が挿入可能な第１逃がし部及び第２逃がし部をさらに有しているので、フレーム幅が小さいリール本体においてリール本体の第１取付部及び第２取付部のピッチが小さくなっても、第１固定部材及び第２固定部材の少なくとも一部を第１逃がし部及び第２逃がし部に挿入することにより、第１固定部材及び第２固定部材が保持部に干渉するのを防止できる。したがって、フレーム幅が小さいリール本体にロッドクランプを確実に取り付けできる。
【０００７】
また、第１逃がし部及び第２逃がし部は第１固定部材及び第２固定部材の頭部が挿通可能な切り欠きであるので、たとえばロッドクランプを取り外すとき、第１固定部材及び第２固定部材を緩め、第１固定部材及び第２固定部材のうちの一方のみを取り外し、第１固定部材及び第２固定部材のうちの他方を第１逃がし部及び第２逃がし部の他方にスライドさせることにより、第１固定部材及び第２固定部材のうちの１つを完全に取り外すことなくロッドクランプを着脱できる。さらに、第１逃がし部及び第２逃がし部の切り欠きと第１固定部及び第２固定部の貫通孔とを１つの長穴として形成できるので、加工性を向上できる。
【０００８】
発明２に係るロッドクランプは、発明１のロッドクランプにおいて、第１固定部材及び第２固定部材の軸部は、第１取付部及び第２取付部に螺合するものである。この場合、たとえば第１取付部及び第２取付部に雌ねじを形成し、第１固定部材及び第２固定部材の軸部に雄ねじを形成することにより、容易かつ確実に装着固定できる。また、第１固定部材及び第２固定部材の頭部の少なくとも一部を第１逃がし部及び第２逃がし部に挿入することにより、第１固定部材及び第２固定部材の保持部への干渉を防止できる。
【０００９】
発明３に係るロッドクランプは、発明１又は２のロッドクランプにおいて、保持部、第１固定部及び第２固定部は、ステンレス合金製である。この場合、保持部、第１固定部及び第２固定部の強度及び防錆性を高く維持できる。
【００１０】
発明４に係るロッドクランプは、発明１から３のいずれかのロッドクランプにおいて、保持部、第１固定部及び第２固定部は、プレス加工により一体成形されている。この場合、板状の金属製部材をプレス加工することにより、保持部、第１固定部及び第２固定部の形成が容易になる。
【発明の効果】
【００１１】
本発明によれば、ロッドクランプにおいて、保持部の第１固定部及び第２固定部に近接する側にそれぞれ設けられ第１固定部及び第２固定部に第１固定部材及び第２固定部材を装着したとき第１固定部材及び第２固定部材の頭部が挿入可能な第１逃がし部及び第２逃がし部を有しているので、フレーム幅が小さいリール本体にロッドクランプを確実に取り付けできる。
【発明を実施するための最良の形態】
【００１２】
本発明の一実施形態を採用した両軸受リールは、図１に示すように、レバードラグリールであり、筒状のリール本体１と、リール本体１の中心部に回転自在に装着されたスプール軸２と、スプール軸２に回転自在かつ軸方向移動不能に支持されたスプール３と、リール本体１の側方に配置されたハンドル４とを備えている。また、レバードラグリールは、ハンドル４の回転をスプール３に伝達する回転伝達機構６と、スプール３の糸繰り出し方向の回転を制動するレバードラグ機構７と、レバードラグ機構７をスプール軸２方向に移動させてドラグ力（制動力）を調整するためのドラグ調整機構８と、レバードラグ機構７の糸繰り出し方向の回転を規制する逆転防止機構９とをリール本体１の内部に備えている。
【００１３】
リール本体１は、図１に示すように、金属製の左右１対の皿状の側板１０、１１と、側板１０、１１が両端に印籠結合により同芯に結合され複数のボルト部材１３により固定された金属製の孔あき筒状のリールボディ１２とを有している。側板１０、１１とリールボディ１２との間には、リールを体で支えるために使用する１対のハーネスラグ１４が装着されている。側板１０、１１は、その略中心部で回動自在にスプール軸２の両端を支持する。側板１０、１１のフレーム幅は、スプール３の軸方向長さが小さく形成されているので、通常よりも小さく形成されている。左側の側板１０の中心部内側面には内方に突出する筒状の軸受収納部１０ａが形成されている。ハンドル４側（図１右側）の側板１１の中心部には、スプール軸２を支持するために軸方向外方に突出するボス部１１ａが形成されている。
【００１４】
リールボディ１２の下部には、図１及び図２に示すように、リールを釣竿Ｒに装着するための竿取付脚部１５が設けられている。竿取付脚部１５は、釣竿Ｒが接触する部分が湾曲した金属製の部材である。さらに、リールボディ１２の下部には、竿取付脚部１５との間に釣竿Ｒを挟持するためのロッドクランプ２２が設けられている。ロッドクランプ２２は、ボルト部材２０、２１（第１固定部材及び第２固定部材の一例）によりリールボディ１２に固定されている。
【００１５】
ボルト部材２０、２１は、図２に示すように、ロッドクランプ２２の下側から装着される大径の頭部２０ａ、２１ａと、リールボディ１２の下部に形成されたねじ孔１２ａ、１２ｂ（第１取付部及び第２取付部の一例）に螺合する軸部２０ｂ、２１ｂとを有している。軸部２０ｂ、２１ｂの外周には雄ねじが形成されており、ねじ孔１２ａ、１２ｂの内周には雌ねじが形成されている。
【００１６】
ロッドクランプ２２は、図２に示すように、竿取付脚部１５との間に釣竿Ｒを挟持するためのものである。ロッドクランプ２２は、図２から図５に示すように、釣竿Ｒの外形の一部が接触するように湾曲した保持部２２ａと、保持部２２ａの両側にそれぞれ設けられボルト部材２０、２１により着脱自在に固定される貫通孔２２ｄ、２２ｅを有する第１固定部２２ｂ及び第２固定部２２ｃと、保持部２２ａの両側に形成され貫通孔２２ｄ、２２ｅとそれぞれ連通しボルト部材２０、２１の頭部２０ａ、２１ａの一部が挿入される切り欠き２２ｆ、２２ｇ（第１逃がし部及び第２逃がし部の一例）とを有している。
【００１７】
保持部２２ａは、図１から図３に示すように、釣竿Ｒの外形の一部が接触するように断面が略円弧状に湾曲した部材であり、ステンレス合金をプレス加工して第１固定部２２ｂ及び第２固定部２２ｃと一体成形されている。保持部２２ａの両端部は、第１固定部２２ｂ及び第２固定部２２ｃと滑らかに連続したＲ形状になっている。
【００１８】
第１固定部２２ｂ及び第２固定部２２ｃは、図３から図５に示すように、左右対称に配置された板状部材であり、その端部は略半円形状となっている。第１固定部２２ｂ及び第２固定部２２ｃには、上下方向に貫通する貫通孔２２ｄ、２２ｅが形成されている。
【００１９】
貫通孔２２ｄ、２２ｅは、図２に示すように、リールボディ１２のねじ孔１２ａ、１２ｂと連通し、前述のボルト部材２０、２１を下側から装着することにより、第１固定部２２ｂ及び第２固定部２２ｃをリールボディ１２に固定している。貫通孔２２ｄ、２２ｅは、図３から図５に示すように、ボルト部材２０、２１の頭部２０ａ、２１ａより小径かつ軸部２０ｂ、２１ｂより大径に略半円形に形成されている。貫通孔２２ｄ、２２ｅは、保持部２２ａの切り欠き２２ｆ、２２ｇと連通している。
【００２０】
切り欠き２２ｆ、２２ｇは、図３から図５に示すように、保持部２２ａの両側の左右方向を略半円形に貫通しており、第１固定部２２ｂ及び第２固定部２２ｃの貫通孔２２ｄ、２２ｅと連通する長穴を構成している。切り欠き２２ｆ、２２ｇは、図４及び図５に示すように、ボルト部材２０、２１の頭部２０ａ、２１ａの径より大きくなるように形成されている。また、切り欠き２２ｆ、２２ｇは、図３及び図５に示すように、ボルト部材２０、２１の頭部２０ａ、２１ａの軸方向長さより大きくなるように形成されている。このため、ボルト部材２０、２１を第１固定部２２ｂ及び第２固定部２２ｃに装着したとき、ボルト部材２０、２１の頭部２０ａ、２１ａの一部（ボルト部材２０の頭部２０ａにおいては右端部、ボルト部材２１の頭部２１ａにおいては左端部）が挿入されており、ボルト部材２０、２１を緩めたときは、頭部２０ａ、２１ａ全体がスライド可能である。なお、貫通孔２２ｄ、２２ｅ及び切り欠き２２ｆ、２２ｇは、ブランキング加工や切削加工等の機械加工によりそれぞれ１つの長穴として形成される。
【００２１】
このようなロッドクランプ２２を用いて釣竿Ｒをリールに固定するには、釣竿Ｒの上部を竿取付脚部１５に接触した状態で、釣竿Ｒの下部をロッドクランプ２２の保持部２２ａを接触させて挟持する。そして、ボルト部材２０、２１を、第１固定部２２ｂ及び第２固定部２２ｃの貫通孔２２ｄ、２２ｅに貫通し、リールボディ１２のねじ孔１２ａ、１２ｂにねじ止めする。これにより、ロッドクランプ２２がリールボディ１２に固定され、釣竿Ｒが竿取付脚部１５とロッドクランプ２２とで挟持される。
【００２２】
また、このようなロッドクランプ２２を取り外すには、ボルト部材２０、２１の両方を緩める。次に、ボルト部材２０、２１の一方（たとえばボルト部材２０）を完全に取り外すと、釣竿Ｒの固定が解除される。そして、ボルト部材２０、２１の他方（たとえばボルト部材２１）を切り欠き２２ｆ、２２ｇの他方（たとえば切り欠き２２ｇ）側にスライドさせると、ボルト部材２０、２１の他方（たとえばボルト部材２１）をリールボディ１２に残した状態でロッドクランプ２２を取り外すことができる。
【００２３】
このようなロッドクランプ２２では、ボルト部材２０、２１を第１固定部２２ｂ及び第２固定部２２ｃに装着したとき、ボルト部材２０、２１の頭部２０ａ、２１ａの一部を切り欠き２２ｆ、２２ｇに挿入することにより、ボルト部材２０、２１が保持部２２ａに干渉するのを防止でき、側板１０、１１のフレーム幅が小さいリール本体１にロッドクランプ２２を確実に取り付けることができる。
【００２４】
〔他の実施形態〕
（ａ）  前記実施形態では、ロッドクランプ２２が装着される釣り用リールとして両軸受リールを例にあげて説明したが、これに限定されるものではなく、スピニングリールや片軸受リールにも本発明を適用できる。
【００２５】
（ｂ）  前記実施形態では、保持部２２ａ、第１固定部２２ｂ及び第２固定部２２ｃは、ステンレス合金をプレス加工して一体成形されていたが、保持部２２ａ、第１固定部２２ｂ及び第２固定部２２ｃの材質や製造方法はこれに限定されるものではない。
【００２６】
（ｃ）  前記実施形態では、ボルト部材２０、２１を、ロッドクランプ２２の貫通孔２２ｄ、２２ｅに貫通し、リールボディ１２のねじ孔１２ａ、１２ｂにねじ止めしていたが、図６に示すように、ボルト部材２３、２４を、リールボディ１２の上側から装着し、下側からロッドクランプ２２に装着したナット部材２５、２６に螺合させる構成にしてもよい。
【図面の簡単な説明】
【００２７】
【図１】本発明の一実施形態による両軸受リールの断面図。
【図２】ロッドクランプの断面図。
【図３】前記ロッドクランプの拡大断面図。
【図４】前記ロッドクランプの平面図。
【図５】前記ロッドクランプの側面図。
【図６】他の実施形態の図２に相当する図。
【符号の説明】
【００２８】
１  リール本体
１０、１１  側板
１２  リールボディ
１２ａ、１２ｂ  ねじ孔
１５  竿取付脚部
２０、２１  ボルト部材
２０ａ、２１ａ  頭部
２０ｂ、２１ｂ  軸部
２２  ロッドクランプ
２２ａ  保持部
２２ｂ  第１固定部
２２ｃ  第２固定部
２２ｄ、２２ｅ  貫通孔
２２ｆ、２２ｇ  切り欠き
２３、２４  ボルト部材
２５、２６  ナット部材
Ｒ  釣竿
【図１】
0004773047.tif 000002
【図２】
0004773047.tif 000003
【図３】
0004773047.tif 000004
【図４】
0004773047.tif 000005
【図５】
0004773047.tif 000006
【図６】
0004773047.tif 000007